(57)【要約】【課題】本発明の目的は、安価で簡易な構成により、給送されたシートの斜行を矯正できるようにすることである。【解決手段】中板２０に積載されたシートを給送する給送ローラ２と、給送ローラ２により給送されたシートを搬送する搬送ローラ対３ａ，３ｂと、給送ローラ２の回転動作に連動して搬送ローラ対３ａ，３ｂへの駆動力の伝達、遮断の切り換えを行う駆動遮断制御カム３２ｂと、を有し、カム３２ｂは、給送ローラ２の回転動作に連動して、給送ローラ２により給送されるシートの先端が搬送ローラ対３ａ，３ｂへ到達する前に搬送ローラ３ｂへの駆動力の伝達を遮断し、シートの先端が搬送ローラ対３ａ，３ｂに突き当てられて所定量給送された後に搬送ローラ３ｂへの駆動力の伝達を再開することを特徴とする。【選択図】図１
2007112555.tif 000002
【特許請求の範囲】
【請求項１】
シート積載部に積載されたシートを給送する給送ローラと、
前記給送ローラにより給送されたシートを搬送する搬送ローラ対と、
前記給送ローラの回転動作に連動して前記搬送ローラ対への駆動力の伝達、遮断の切り換えを行う切換機構と、を有し、
前記切換機構は、前記給送ローラの回転動作に連動して、前記給送ローラにより給送されるシートの先端が前記搬送ローラ対へ到達する前に前記搬送ローラ対への駆動力の伝達を遮断し、前記シートの先端が前記搬送ローラ対に突き当てられて所定量給送された後に前記搬送ローラ対への駆動力の伝達を再開することを特徴とするシート給送装置。
【請求項２】
前記切換機構による前記搬送ローラ対への駆動力の伝達、遮断の切り換え動作は、前記給送ローラの回転動作に連動して回転するカム部材が、前記搬送ローラ対への駆動力伝達経路中の駆動力伝達部材に作用して、前記搬送ローラ対への駆動力の伝達、遮断の切り換えを行うことを特徴とする請求項１に記載のシート給送装置。
【請求項３】
前記切換機構による前記搬送ローラ対への駆動力の伝達、遮断の切り換え動作は、前記給送ローラの回転動作に連動して回転するカム部材が、前記搬送ローラ対に駆動力を伝達するギア列の中の一対のギアを噛み合わせ、又は離間させて、前記搬送ローラ対への駆動力の伝達、遮断の切り換えを行うことを特徴とする請求項１又は２に記載のシート給送装置。
【請求項４】
前記切換機構による前記搬送ローラ対への駆動力の伝達、遮断の切り換え動作は、前記給送ローラの回転動作に連動して回転するカム部材が、前記搬送ローラ対に駆動力を伝達するクラッチをローラ軸方向に移動させてつなぎ、又は切ることで、前記搬送ローラ対への駆動力の伝達、遮断の切り換えを行うことを特徴とする請求項１又は２に記載のシート給送装置。
【請求項５】
前記給送ローラの回転に連動して回転するカム部材は、給送ローラにより給送されるシートの先端が搬送ローラ対へ到達する前に搬送ローラ対への駆動力の伝達を遮断し、且つ前記シートの先端が搬送ローラ対に突き当てられて所定量給送された後に搬送ローラ対への駆動力の伝達が再開される形状に設定されていることを特徴とする請求項２乃至４のいずれか１項に記載のシート給送装置。
【請求項６】
請求項１乃至請求項５のいずれか１項に記載のシート給送装置と、
前記シート給送装置から送り出されたシートに画像を形成する画像形成部と、
を備えたことを特徴とする画像形成装置。
【請求項７】
シート積載部に積載されたシートを給送ローラにより給送し、前記給送ローラにより給送されたシートを搬送ローラ対により搬送するシート給送方法であって、
シートを給送する際の給送ローラの回転に連動して搬送ローラ対への駆動力の伝達、遮断の切り換えを行う切換機構が、
給送ローラにより給送されるシートの先端が搬送ローラ対に到達する前に駆動源から搬送ローラ対への駆動力伝達経路中の駆動力伝達部材に作用して搬送ローラ対への駆動力の伝達を遮断し、
更に給送されるシートの先端が前記搬送ローラ対に突き当てられて所定量給送された後に前記駆動力伝達部材に作用して搬送ローラ対への駆動力の伝達が再開されることを特徴とするシート給送方法。
【発明の詳細な説明】
【技術分野】
【０００１】
本発明は、シートを給送するシート給送装置およびシート給送方法に関し、例えばプリンタや複写機等の画像形成装置に用いられるシート給送装置およびシート給送方法に関する。
【背景技術】
【０００２】
従来の画像形成装置では、給送ローラにより給送されたシートは、レジストローラ対によって画像形成部に搬送されていく。ここで、給送ローラによる給送動作によりシートが斜行してしまった場合、この斜行したシートをそのまま画像形成部まで搬送してしまうと、シートの正確な位置に画像を記録できなかったり、紙詰まり（ジャム）となってしまう場合がある。
【０００３】
そこで、電磁クラッチを用いてレジストローラ対の回転、停止の切り換えを任意に行い、シートの斜行を補正する機構を備えた画像形成装置が提案されている（例えば、特許文献１参照）。
【０００４】
ここで、電磁クラッチとレジストローラ対を用いた斜行修正機構について説明する。電磁クラッチは、レジストローラと同軸上に取り付けられており、電気回路から電磁クラッチに通電、非通電の切り換えを行うことにより、レジストローラの回転、停止の切り換えを任意に行うことが可能となっている。このような機構を持った画像形成装置では、シートが積載トレイから給送された後、その先端がレジストローラ対に到達する前に、電磁クラッチでレジストローラ対の回転を一時的に止めている。そして、給送ローラにより給送されるシートの先端を、停止しているレジストローラ対に突き当てて所定量給送した後に、電磁クラッチを再び接続状態としてレジストローラ対の回転を再開させている。
【０００５】
以上のように、電磁クラッチのＯＮ／ＯＦＦ制御を用いてレジストローラ対の回転と停止の制御を行うことで、シートが斜行している場合でもその斜行が矯正される。
【０００６】
【特許文献１】特開平０５−１６２８７８号公報
【発明の開示】
【発明が解決しようとする課題】
【０００７】
しかしながら、上記斜行補正機構では、電磁クラッチ自体が高価であること、電磁クラッチへの電源供給が必要であること、及び電磁クラッチを制御するための制御手段が必要であることから、装置が複雑化し、コストが高くなってしまうという問題があった。
【０００８】
そこで、本発明の目的は、安価で簡易な構成により、給送されたシートの斜行を矯正できるようにすることである。
【課題を解決するための手段】
【０００９】
上記目的を達成するための本発明の代表的な構成は、シート積載部に積載されたシートを給送する給送ローラと、前記給送ローラにより給送されたシートを搬送する搬送ローラ対と、前記給送ローラの回転動作に連動して前記搬送ローラ対への駆動力の伝達、遮断の切り換えを行う切換機構と、を有し、前記切換機構は、前記給送ローラの回転動作に連動して、前記給送ローラにより給送されるシートの先端が前記搬送ローラ対へ到達する前に前記搬送ローラ対への駆動力の伝達を遮断し、前記シートの先端が前記搬送ローラ対に突き当てられて所定量給送された後に前記搬送ローラ対への駆動力の伝達を再開することを特徴とする。
【発明の効果】
【００１０】
本発明によれば、高価な電磁クラッチ等を用いなくとも、安価で簡易な構成により、給送されたシートの斜行を矯正することができる。よって、シートの斜行に起因する、シートに記録される画像の位置精度の低下や、紙詰まりを防止することができる。
【発明を実施するための最良の形態】
【００１１】
以下、図面を参照して、本発明の好適な実施の形態を例示的に詳しく説明する。
【００１２】
〔第１実施形態〕
図１〜図６、及び図１１を用いて、第１実施形態に係るシート給送装置を備えた画像形成装置について説明する。ここでは、シート給送装置を備えた画像形成装置の一例として、レーザービームプリンタを例示している。以下の説明では、まずシート給送装置の構成及びその動作について説明し、続けて給送後の動作を説明しつつ画像形成装置全体の概略構成について説明する。
【００１３】
図１〜図３は第１実施形態に係るシート給送装置を示す図である。図１は給送待機時におけるシート給送装置の主要部品を表す斜視図である。図２は給送待機時におけるシート給送装置の給送部の断面図である。図３は給送待機時における給送部のギア列の断面図である。図４はシート給送装置の給送開始時の断面図である。図５はシート給送装置の搬送ローラ停止時の断面図である。図６はシート給送装置の搬送ローラ回転再開時の断面図である。また、図１１はシート給送装置を備えた画像形成装置の概略構成示す模式断面図である。図１１は給送待機時の状態を示している。
【００１４】
図１に示すように、シート給送装置としての給送部Ｓは、シート積載部としての中板２０及び開閉可能な給送トレイ６上に積載されたシートＰを給送する給送ローラ２を有している。また、前記給送ローラ２により給送されたシートＰを搬送する搬送ローラ対３ａ，３ｂを有している。更に、前記給送ローラ２の回転動作に連動して前記搬送ローラ対３ａ，３ｂへの駆動力の伝達、遮断の切り換えを行う切換機構を有している。
【００１５】
この切換機構は、前記給送ローラ２の回転動作に連動して、前記給送ローラ２により給送されるシートＰの先端が前記搬送ローラ対３ａ，３ｂへ到達する前に前記搬送ローラ対３ａ，３ｂへの駆動力の伝達を遮断する。更に、前記シートＰの先端が前記搬送ローラ対３ａ，３ｂに突き当てられて所定量給送された後に前記搬送ローラ対３ａ，３ｂへの駆動力の伝達を再開する。以下、この切換機構の構成及び給送ローラ２と搬送ローラ対３ａ，３ｂの駆動力伝達機構について説明する。
【００１６】
図１〜図３において、３４は駆動源としてのモータであり、モータ３４の出力軸にはピニオンギア３５が取り付けられている。ピニオンギア３５には、給送ローラ２および搬送ローラ３ｂに駆動力を伝達するためのアイドラギア３６が噛み合っている。アイドラギア３６には、搬送ローラ３ｂに駆動力を伝達する搬送駆動ギア３７が噛み合っている。この搬送駆動ギア３７は、アイドラギア３６の軸３６ａを中心に揺動可能な保持部材３８に回転可能に支持されている。すなわち、アイドラギア３６と搬送駆動ギア３７は保持部材３８によって連結されている。搬送ローラ対３ａ，３ｂのうち、一方の搬送ローラ３ｂの軸上には搬送駆動ギア３７と噛み合い可能な搬送ローラギア４１が固定されている。
【００１７】
また、保持部材３８は加圧バネ４０により図２において軸３６ａを中心に反時計回り方向、つまり搬送駆動ギア３７が搬送ローラギア４１と噛み合う方向に加圧されている。さらに、保持部材３８には、後述する駆動遮断制御カム３２ｂが係合可能な突起部３８ｂが設けられている。
【００１８】
また、給送ローラ２の軸上には給送ローラギア３２が設けられており、アイドラギア３６と噛み合い可能になっている。給送ローラギア３２には、歯の一部が切り欠かれた欠け歯部が形成されており、この欠け歯部にアイドラギア３６が対向したときにはギア３２，３６が噛み合わず、駆動力は伝達されない。また、給送ローラギア３２の欠け歯部がアイドラギア３６と対向した位置で、給送ローラギア３２の回転を規制するためのソレノイド３０を備えている。このソレノイド３０のフラッパ３１が給送ローラギア３２と一体に設けられた係止部３２ａに係合することにより、給送ローラギア３２の回転を規制することができる。
【００１９】
また給送ローラ２の軸上には、中板２０に一体に設けられた係合部２０ａに係合する給送カム３３が設けられている。給送カム３３は、給送ローラ２の回転に伴って回転し、中板２０の係合部２０ａに係合して、中板２０上のシートＰを給送ローラ２に付勢し、又はシートＰを給送ローラ２から離間させる。
【００２０】
更に、給送ローラ２の軸上には、該給送ローラ２の回転動作に連動して回転するカム部材としての駆動遮断制御カム３２ｂが設けられている。この駆動遮断制御カム３２ｂは、搬送ローラ３ｂに駆動力を伝達するギア列の中の一対のギア３７，４１を噛み合わせ、又は離間させて、前記搬送ローラ３ｂへの駆動力の伝達、遮断の切り換えを行う。
【００２１】
詳しくは、前記保持部材３８の突起部３８ｂが給送ローラギア３２と同軸上に配設された駆動遮断制御カム３２ｂに押されることにより、保持部材３８が図２において軸３６ａを中心に時計回り方向に回転し、搬送駆動ギア３７が搬送ローラギア４１から離間する。更に、前記突起部３８ｂが駆動遮断制御カム３２ｂによる押し上げが解除されることにより、保持部材３８が図２において軸３６ａを中心に反時計回り方向に回転し、搬送駆動ギア３７が搬送ローラギア４１に噛み合う。
【００２２】
前記駆動遮断制御カム３２ｂは、給送ローラ２により給送されるシートＰの先端が搬送ローラ対３ａ，３ｂへ到達する前に搬送ローラ３ｂへの駆動力の伝達を遮断するカム形状に設定されている。且つ、前記シートＰの先端が搬送ローラ対３ａ，３ｂに突き当てられて所定量給送された後に搬送ローラ３ｂへの駆動力の伝達が再開される形状に設定されている。つまり、給送ローラ２が１回転する間に搬送駆動ギア３７と搬送ローラギア４１が噛み合い状態、離間状態、再噛み合い状態となるよう駆動遮断制御カム３２ｂの形状が決められている。
【００２３】
次に、上記シート給送装置によるシートＰの給送動作および給送後の動作と併せて、画像形成装置全体の概略構成について説明する。
【００２４】
図１１に示す画像形成装置では、シートＰは、開閉可能な給送トレイ６と中板２０上に載置され、シート幅規制板１によってシートＰの搬送方向に対して直交する幅方向をガイドされる。そして、プリント開始信号により、装置各部が順次駆動する。なお、給送ローラ２は、不図示の制御手段により、１回転してシートＰを給送するように制御される。
【００２５】
（給送開始）
ここで給送開始信号を受け取ると、ソレノイド３０に給電されてフラッパ３１が吸引され、フラッパ３１の先端部３１ａが給送ローラギア３２と一体に設けられた係止部３２ａから外れる。これにより、給送ローラギア３２がアイドラギア３６と噛み合うところまで回転する。そして、モータ３４からの駆動力を受けて給送ローラギア３２、給送カム３３、給送ローラ２はシート給送方向に回転を開始する。そして、前記給送カム３３の回転に連動し、中板２０が図２の状態から図４に示す状態に移動し、中板２０上のシートＰが給送ローラ２に付勢される。中板２０が上昇すると、中板２０上のシートＰは、給送ローラ２と当接しつつ該給送ローラ２により給送され、分離パッド２１にて１枚ずつ分離されつつ搬送される。
【００２６】
（搬送ローラ回転停止）
次に給送ローラ２により給送されるシートＰの先端が搬送ローラ対３ａ，３ｂに到達する前に、給送ローラ２の回転に連動して回転する駆動遮断制御カム３２ｂが、保持部材３８の突起部３８ｂを押し上げ、加圧バネ４０の付勢力に抗して保持部材３８が回動する。これにより、図５に示すように、搬送駆動ギア３７と搬送ローラギア４１は離間状態になり、搬送ローラ対３ａ，３ｂの回転は停止する。
【００２７】
（斜行修正動作）
更に給送ローラ２により給送されるシートＰは、その先端が前記停止している搬送ローラ対３ａ，３ｂに突き当てられ、所定量給送される。これにより、シートＰの幅方向左右の先端が搬送ローラ対３ａ，３ｂのニップ部に対して平行になるまで給送され、シートＰが斜行している場合であっても、その斜行が補正される。
【００２８】
ここで、給送ローラ２によるシートの所定の給送量（押し込み量）は、シートの斜行を補正するのに十分なように、給送ローラギア３２と一体に設けた駆動遮断制御カム３２ｂ部によって適切に設定されている。このとき、シートが薄手のシートである場合、該シートの先端が搬送ローラ対３ａ，３ｂに突き当たった後は、給送ローラ２から搬送ローラ対３ａ，３ｂの間でシートがループを作ることで、余計な押し込み量は吸収される。一方、シートが厚手のシートである場合、該シートの先端が搬送ローラ対３ａ，３ｂに突き当たる抵抗力が給送ローラ２の送り力を上回り、給送ローラ２とシートがスリップすることにより、余計な押し込み量が吸収される。
【００２９】
（搬送ローラ再回転）
その後、給送ローラギア３２が図６に示す位置まで回転したとき、駆動遮断制御カム３２ｂと保持部材３８の突起部３８ｂは非接触状態となり、保持部材３８が加圧バネ４０に加圧されて回動し、搬送駆動ギア３７と搬送ローラギア４１は再び噛み合い状態となる。すなわち、前記シートの先端が搬送ローラ対３ａ，３ｂに突き当てられて所定量給送された後（斜行補正後）に、搬送ローラ対３ａ，３ｂへの駆動力の伝達が再開される。これにより、搬送ローラ対３ａ，３ｂは回転を再開して、シートＰの搬送を再開する。
【００３０】
なお、給送ローラ２の１回転動作終了直前には、再び給送ローラ２の同軸上に設けられた給送カム３３が、中板２０を図２に示す給送待機の位置まで押し下げて、待機状態に戻る。
【００３１】
（画像形成動作）
上述した給送ローラ２の１回転動作にて給送されたシートＰは、搬送ローラ対３ａ，３ｂにより搬送され、図１１に示すシート先端検知フラグ４を倒す。シート先端検知フラグ４には不図示のフォトセンサが取り付けており、シート先端検知フラグ４が回動する事により前記フォトセンサがシートＰの先端位置を検知する。シート先端の検知後、所定時間経過すると、図１１に示すように、レーザー露光装置５はカートリッジＣにおける感光ドラム８にレーザー光を照射する。なお、露光前に、感光ドラム８は矢印の方向に回転し、不図示の高圧電源から給電される帯電ローラ１８によって一様に帯電されている。そして、レーザー露光装置５から発せられたレーザー光Ｌにより、感光ドラム８上には静電潜像が形成される。トナー容器６０の中にはトナーが充填されており、現像スリーブ１７の回転に伴い、適量のトナーが適度の帯電を受けた後、感光ドラム８上に供給される。現像スリーブ１７上のトナーは感光ドラム８の静電潜像に付着し、潜像が現像されトナー像として可視化される。可視化された感光ドラム８上のトナー像は転写ローラ９によりシートＰ上に転写される。転写されずに感光ドラム８上に残った転写残トナーはクリーニングブレードに１９より廃トナー容器６１に収納され、表面をクリーニングされた感光ドラム８は繰り返し次の画像形成プロセスに入る。
【００３２】
トナー像が形成されたシートＰは、加熱部材１０と加圧ローラ１１で構成された定着器によって加熱、加圧を受け、トナー像はシートＰ上に永久定着される。トナー像が定着されたシートＰは、その後、排出ローラ対１２ａ，１２ｂにより装置外に排出され、排出トレイ１４上に積載される。
【００３３】
上述したように、本実施形態によれば、給送ローラ２の回転と連動して回転する駆動遮断制御カム３２ｂが搬送ローラ対３ａ，３ｂの回転、回転停止の切り換えを行う。これにより、高価な電磁クラッチ等を用いなくとも、安価で簡易な構成により、給送されたシートの斜行を矯正することができる。よって、シートの斜行に起因する、シートに記録される画像の位置精度の低下や、紙詰まりを防止することができる。
【００３４】
〔第２実施形態〕
図７〜図１０を用いて、第２実施形態に係るシート給送装置について説明する。なお、本実施形態では、搬送ローラ対３ａ，３ｂへの駆動力の伝達、遮断を行う機構が第１実施形態と異なるが、その他の構成は第１実施形態に示した構成と同様なので、その詳しい説明は省略する。
【００３５】
図７に示すように、本実施形態において、６０は搬送ローラ３ｂが取り付けられている搬送ローラ軸である。図８に示すように、搬送ローラ軸６０の一方の端部付近には平面部６０ａが設けられており、この平面部６０ａにはラチェット部６２ａを有するクラッチ６２が嵌合されている。クラッチ６２は搬送ローラ軸６０に対して長手方向（軸方向）には、前記平面部６０ａを摺動して動くことが可能である。しかしながら、前記クラッチ６２には前記平面部６０ａの形状に嵌合する穴が空いているため、回転方向については搬送ローラ軸６０とクラッチ６２は一緒に回転する。
【００３６】
また、軸方向において前記クラッチ６２と向き合う位置には、前記クラッチ６２のラチェット部６２ａと噛み合うラチェット部６３ａを有する入力ギア６３が設けられている。この入力ギア６３は、搬送ローラ軸６０の一方の端部先端の丸軸部６０ｂに対して嵌合しており、搬送ローラ軸６０に対しては回転自在となっている。また、入力ギア６３は、止め輪６４によって、搬送ローラ軸６０から抜け出ないように抜け止めされている。
【００３７】
また、クラッチ６２はクラッチ加圧バネ６１によって入力ギア６３の方向に加圧されている。図９に示すように、給送待機の状態では、クラッチ６２のラチェット部６２ａと入力ギア６３のラチェット部６３ａは、噛み合いの状態、つまり、入力ギア６３、クラッチ６２、搬送ローラ軸６０は一緒に回転する。図７において、６５は入力ギア６３に噛み合って駆動力を伝達する搬送駆動ギアである。６６は給送ローラギア３２に噛み合って駆動力を伝達するアイドラギアである。なお図示していないが、アイドラギア６６にはモータに設けたピニオンギアが噛み合っている。
【００３８】
次に本実施形態における搬送ローラ軸６０への駆動力の伝達、遮断の切り換え動作について説明する。給送ローラ２の回転に連動して回転する駆動遮断制御カム３２ｂは、給送ローラ２が回転し始めた後で、かつシートＰが搬送ローラ対３ａ，３ｂに到達する前に、クラッチ６２を図１０に示す矢印Ａ方向に押し、クラッチ６２が矢印Ｂ方向に移動する。クラッチ６２が矢印Ｂ方向に移動することにより、クラッチ６２のラチェット部６２ａ部と入力ギア６３のラチェット部６３ａの噛み合いが解除される。これにより、搬送ローラ３ｂへの駆動力の伝達が遮断され、搬送ローラ対３ａ，３ｂの回転が停止する。
【００３９】
更に給送ローラ２により給送されるシートＰは、その先端が前記停止している搬送ローラ対３ａ，３ｂに突き当てられ、所定量給送される。これにより、シートＰの幅方向左右の先端が搬送ローラ対３ａ，３ｂのニップ部に対して平行になるまで給送され、シートＰが斜行している場合であっても、その斜行が補正される。
【００４０】
その後、図９に示すように駆動遮断制御カム３２ｂがクラッチ６２と非接触状態となり、クラッチ６２がクラッチ加圧バネ６１に加圧されて軸方向に移動し、クラッチ６２のラチェット部６２ａと入力ギア６３のラチェット部６３ａは再び噛み合い状態となる。すなわち、前記シートの先端が搬送ローラ対３ａ，３ｂに突き当てられて所定量給送された後（斜行補正後）に、搬送ローラ対３ａ，３ｂへの駆動力の伝達が再開される。これにより、搬送ローラ対３ａ，３ｂは回転を再開して、シートＰの搬送を再開する。なお、その後の動作は、前述した第１実施形態と同様である。
【００４１】
上述したように、本実施形態によれば、給送ローラ２の回転と連動して回転する駆動遮断制御カム３２ｂが搬送ローラ対３ａ，３ｂへの駆動力の伝達、遮断を行う。これにより、前述した実施形態と同様に、高価な電磁クラッチ等を用いなくとも、安価で簡易な構成により、給送されたシートの斜行を矯正することができる。更に、本実施形態によれば、装置全体の小型化を図ることが可能である。
【００４２】
〔他の実施形態〕
前述した実施形態では、給送ローラと画像形成部の間には、搬送ローラは一対しか示されていないが、搬送ローラ対は、給送ローラと画像形成部の間に二対以上設けてもよい。
【００４３】
また前述した実施形態における画像形成装置のシート搬送路は、装置の底部に給送部、中央部に転写部（画像形成部）、上部に定着部も持つ構成を例示したが、シートの搬送路の構成はこれに限定されるものではない。
【００４４】
前述した実施形態では、画像形成装置としてプリンタを例示したが、本発明はこれに限定されるものではなく、例えば複写機、ファクシミリ装置等の他の画像形成装置や、或いはこれらの機能を組み合わせた複合機等の他の画像形成装置であっても良い。これらの画像形成装置に用いられるシート給送装置に本発明を適用することにより同様の効果を得ることができる。
【００４５】
また前述した実施形態では、画像形成装置が一体的に有するシート給送装置を例示したが、本発明はこれに限定されるものではない。例えば画像形成装置に対して着脱自在なシート給送装置であっても良く、該シート給送装置に本発明を適用することにより同様の効果を得ることができる。
【００４６】
また前述した実施形態では、記録対象としての記録紙等のシートを画像形成部に給送するシート給送装置を例示したが、本発明はこれに限定されるものではない。例えば、読取対象としての原稿等のシートを読取部に給送するシート給送装置に適用しても同様の効果を得ることができる。
【００４７】
また前述した実施形態では、記録方式として電子写真方式を例示したが、これに限定されるものではなく、例えばインクジェット方式等の他の記録方式であっても良い。
【図面の簡単な説明】
【００４８】
【図１】第１実施形態に係るシート給送装置の斜視図
【図２】第１実施形態に係るシート給送装置の断面図（待機位置）
【図３】第１実施形態に係るシート給送装置の断面図
【図４】第１実施形態に係るシート給送装置の断面図（給送開始時）
【図５】第１実施形態に係るシート給送装置の断面図（搬送ローラ停止時）
【図６】第１実施形態に係るシート給送装置の断面図（搬送ローラ回転再開）
【図７】第２実施形態に係るシート給送装置の斜視図
【図８】第２実施形態に係るシート給送装置の分解組み立て図
【図９】第２実施形態に係るシート給送装置の駆動遮断機構付近の平面図（駆動伝達状態）
【図１０】第２実施形態に係るシート給送装置の駆動遮断機構付近の平面図（駆動遮断状態）
【図１１】シート給送装置を有する画像形成装置の模式断面図
【符号の説明】
【００４９】
Ｐ    …シート
Ｓ    …給送部（シート給送装置）
２    …給送ローラ
３ａ，３ｂ …搬送ローラ対
６    …給送トレイ
２０  …中板（シート積載部）
２０ａ …係合部
３２  …給送ローラギア
３２ｂ …駆動遮断制御カム（カム部材）
３３  …給送カム
３４  …モータ（駆動源）
３５  …ピニオンギア
３６  …アイドラギア
３６ａ …軸
３７  …搬送駆動ギア（駆動力伝達部材）
３８  …保持部材
３８ｂ …突起部
４０  …加圧バネ
４１  …搬送ローラギア
６０  …搬送ローラ軸
６０ａ …平面部
６０ｂ …丸軸部
６１  …クラッチ加圧バネ
６２  …クラッチ（駆動力伝達部材）
６２ａ …ラチェット部
６３  …入力ギア
６３ａ …ラチェット部
６４  …止め輪
６５  …搬送駆動ギア
６６  …アイドラギア
【図１】
2007112555.tif 000003
【図２】
2007112555.tif 000004
【図３】
2007112555.tif 000005
【図４】
2007112555.tif 000006
【図５】
2007112555.tif 000007
【図６】
2007112555.tif 000008
【図７】
2007112555.tif 000009
【図８】
2007112555.tif 000010
【図９】
2007112555.tif 000011
【図１０】
2007112555.tif 000012
【図１１】
2007112555.tif 000013